(57)【要約】      （修正有）【課題】洗浄後の物質表面、例えば塗装面，ステンレス面，及びガラス表面に、ワックスやシリコンオイル等の油分以外の成分で光沢を付与する。【解決手段】タンニン、界面活性剤および有機溶剤を含有した組成物を、洗浄後の物質表面、例えば塗装面，ステンレス面，及びガラス表面に塗布し光沢を発現させる。【選択図】なし【特許請求の範囲】
【請求項１】
タンニンを含む光沢付与剤組成物。
【請求項２】
タンニン及び界面活性剤からなる光沢付与剤組成物。
【請求項３】
タンニン及び水溶性有機溶剤からなる光沢付与剤組成物。
【請求項４】
タンニン及び界面活性剤及び水溶性有機溶剤からなる光沢付与剤組成物。
【請求項５】
タンニンが緑茶抽出物、ウーロン茶抽出物及び紅茶抽出物からなる群より選ばれる１種又は２種以上である請求項１又は２又は３又は４記載の光沢付与剤組成物。
【請求項６】
界面活性剤がアニオン界面活性剤、ノニオン界面活性剤、両性界面活性剤、カチオン界面活性剤からなる群より選ばれる１種又は２種以上である請求項２又は４記載の光沢付与剤組成物。
【発明の詳細な説明】
【技術分野】
【０００１】
本発明は、洗浄後の物質表面に光沢を付与することができる組成物に関し、更に詳しくはタンニンを配合した組成物を塗布することにより、例えば塗装面、ステンレス面、及びガラス表面の光沢付与性能に優れる組成物に関するものである。
【背景技術】
【０００２】
従来、塗装面やステンレス面やガラス面に光沢を付与する方法としては、洗浄後にワックスやシリコンオイル等の油分でコーティングする方法は周知のことである。
【０００３】
しかしながらこれらの方法では、ワックスやシリコンオイル等の油分を塗布後、乾拭きを行わなくてはならず又手が汚れる為、手を洗浄しなくてはならない等の煩わしさを伴うものであった。
【発明の開示】
【発明が解決しようとする課題】
【０００４】
解決しようとする問題点は、洗浄後の物質表面に光沢を付与する際に、ワックスやシリコンオイル等の油分以外の成分で、光沢を付与する点であり、油分以外の成分で光沢を付与出来る物が望まれていた。
【課題を解決するための手段】
【０００５】
本発明は、上記のような実情に基づき鋭意検討を行った結果、タンニンを配合した組成物を、洗浄後の塗装面、ステンレス面、及びガラス表面に塗布することにより手がべたつかず、光沢を付与出来ることを見出し、本発明を完成した。
従来、タンニンについては、一般に皮なめし剤、収斂剤などの目的でよく用いられているが、物質表面の光沢を改善する試みは、なされていなかった。
【０００６】
本発明で用いるタンニンは、緑茶抽出物、ウーロン茶抽出物及び紅茶抽出物からなる群より選ばれる１種又は２種以上である。これら茶葉抽出物の抽出方法としては、抽出物中においてタンニン画分に存在するカテキン類の含有量が高くなるような抽出方法を採用する事が好ましい。具体的には水又はメタノール、イソプロパノール、アセトン、エチルエーテル等の極性溶媒を用いることが好ましい。抽出時は上記溶媒を単独でも混合して用いてもよく、更に抽出時は常温でも加熱して行ってもよい。カテキン類としては、エピガロカテキン、エピカテキン、エピガロカテキンガレード、エピカテキンガレード等が挙げられる。
他のタンニンとしては、ゲンノショウコ、シャクヤクの根、ユキノシタ、シソ、大黄、カキ、ミモザ、クルミの葉、ハマメリスの葉、イチョウの葉、セイヨウサンザシ、アルニカ、ホップ、ゲンチアナ、ゴボウ、フキタンポポ、マロニエ、ボダイジュ、サルビア葉、メリッサ、マンネンロウ、セイヨウイラクサ等から抽出されるものが挙げられる。
これらタンニンの光沢付与剤組成物中における含有量は、０．１ｐｐｍ〜１０００ｐｐｍ程度含有していれば光沢をすることが出来る。好ましくは１ｐｐｍから１０ｐｐｍである。
【０００７】
本発明で用いる界面活性剤としては、アニオン界面活性剤、ノニオン界面活性剤、両性界面活性剤、カチオン界面活性剤からなる群より選ばれる１種又は２種以上である。
【０００８】
アニオン界面活性剤としては、特に限定されるものではないが、例えば平均炭素数８〜２２の直鎖又は分岐鎖であるアルキル基、アルケニル基、またはアシル基を有するアルキルベンゼンスルホン酸塩、アルキルスルホン酸塩、アルファーオレフィンスルホン酸塩、アルキル硫酸エステル塩、ポリオキシエチレンアルキルエーテル硫酸エステル塩、ポリオキシエチレンアルキルフェニルエーテル硫酸エステル塩、モノアルキル又はセスキリン酸塩、Ｎ−アシルグルタミン酸塩、ポリオキシエチレンアルキルエーテルカルボン酸塩、脂肪酸塩（アニオン性界面活性剤の対イオンとしてのカチオンは、アルカリ土類金属イオン、アルカノールアミン又はアンモニウムイオンからなる群より選ばれたものである）が好ましい。特に直鎖又は分岐鎖アルキル（平均炭素数１０〜１４）ベンゼンスルホン酸ナトリウム、ポリオキシエチレン（エチレンオキサイド平均付加モル数２から５）アルキル（平均炭素数１０〜１４）エーテル硫酸ナトリウム、αーオレフィン（平均炭素数１０〜１６）スルホン酸ナトリウム、モノアルキル（平均炭素数１０〜１４）リン酸モノエタノールアミン、Ｎ−アシル（平均炭素数１０〜１４）グルタミン酸ナトリウム、ポリオキシエチレン（エチレンオキサイド平均付加モル数２から７）アルキル（平均炭素数１０〜１４）エーテルカルボン酸ナトリウム等が好ましい。これらは１種を単独で又は２種以上を混合して使用することが出来る。
【０００９】
ノニオン界面活性剤としては、特に限定されるものではないが、例えばポリオキシエチレン（エチレンオキサイド平均付加モル数１０〜１００）アルキル（平均炭素数１０〜２２の直鎖又は分岐鎖）エーテル、ポリオキシエチレン（エチレンオキサイド平均付加モル数１０〜１００）脂肪酸エステル、ポリオキシエチレン（エチレンオキサイド平均付加モル数１０〜１００）硬化ヒマシ油、ポリオキシエチレン（エチレンオキサイド平均付加モル数１０〜１００）ソルビタン脂肪酸エステル、ポリオキシエチレン（エチレンオキサイド平均付加モル数１０から１００）グリセリルエーテル脂肪酸エステル、高級脂肪酸アルカノールアミド、アルキルジメチルアミンオキシドが好ましい。これらは１種を単独で又は２種以上を混合して使用することが出来る。
【００１０】
カチオン界面活性剤としては、特に限定されるものではないが、第４級アンモニウム塩の代表的なものとして、ステアリルトリメチルアンモニウムクロリドやアミノ酸系カチオン界面活性剤としては、Ｎ−ヤシ油脂肪酸アシルＬ−アルギニンエチルＤＬ−ピロリドンカルボン酸塩等のモノＮ−長鎖アシル塩基性アミノ酸低級アルキルエステル塩が挙げられる。これらは１種を単独で又は２種以上を混合して使用することが出来る。
【００１１】
両性界面活性剤としては、特に限定されるものではないが、アルキルジメチルアミノ酢酸ベタイン、アルキルジメチルスルホベタイン、アルキルジメチルヒドロキシスルホベタイン、アルキルアミノプロピオン酸塩及びアルキルイミダゾリニウムベタイン等が挙げられる。これらの両性界面活性剤としてアルキル基は、平均炭素数１０〜１６の直鎖又は分岐であるものが好ましい。これらは１種を単独で又は２種以上を混合して使用することが出来る。
【００１２】
これら界面活性剤の光沢付与剤組成物における含有量は、界面活性剤の濃度が臨海ミセル濃度〜０．１％程度含有していればよく、臨海ミセル濃度以下では充分な光沢を付与することが出来ない。又、含有量が多くなるとべたつきが発生することがあり好ましくない。
【００１３】
本発明で用いる水溶性有機溶剤としては、揮発性を有しているものがよく、具体的にはエチルアルコール、イソプロピルアルコール、ジエチルエーテル、アセトンが挙げられる。これら水溶性有機溶剤の含有量の制限は特に無いが、光沢付与剤組成物を塗布する際の安全性より５０％以下が好ましい。
本発明の組成物には、目的とする性能を損なわない範囲で、ｐＨ調整剤、香料、色素、防腐・防かび剤等を所望に応じて添加することが出来る。
【発明の効果】
【００１４】
本発明の光沢付与剤組成物は、ワックスやシリコンオイル等の油分を用いることなく、例えば塗装面，ステンレス面，及びガラス表面に光沢を付与することである。
【発明を実施するための最良の形態】
【００１５】
以下、本発明の実施の形態を、次に示す実施例に基づいて詳細に説明するが、本発明はこれら実施例に限定されるものではない。
【実施例１】
【００１６】
試験法及び評価基準
光沢度
乗用車をアニオン界面活性剤からなる市販の車用洗浄剤で洗浄した後、本発明のタンニンを含有する光沢付与剤を塗布し自然乾燥させ、その光沢を視覚判定する。
○：光沢有り
×：光沢なし
べたつき性
乗用車をアニオン界面活性剤からなる市販の車用洗浄剤で洗浄した後、本発明のタンニンを含有する光沢付与剤を塗布し自然乾燥させ、そのべたつき性を官能評価する。
○：ベタツキなし
×：ベタツキ有り
【００１７】
【表１】
2005290096.tif 000002
【００１８】
※１：茶葉１００ｇを１０００ｍｌの水（８０°）に３分間浸漬し、水相を凍結乾燥して得られた固形分。